(57)【要約】【課題】ブラシ本体と櫛ピースとを備えていて、マスカラ液の塗布からまつ毛の仕上げまでを的確にしかも簡便に行なえ、しかもマスカラ液容器に対する出し入れを容易に行なえるマスカラブラシを提供する。【解決手段】芯軸１１およびブラシ毛１２を備えたブラシ本体５と、櫛ピース６とを備えている。櫛ピース６は、連結ボス１６と、連結ボス１６の外面に突設される複数個の櫛歯１７とを一体に備えている。櫛歯１７は、芯軸１１の中心に沿う状態で平行に突設する。芯軸１１の先端に連結ボス１６を装着固定して、櫛ピース６をブラシ本体５と一体化する。【選択図】図１
2009254395.tif 000002
【特許請求の範囲】
【請求項１】
芯軸（１１）の周囲にブラシ毛（１２）が張り出してあるブラシ本体（５）と、櫛ピース（６）とを備えているマスカラブラシであって、
櫛ピース（６）は、連結ボス（１６）と、連結ボス（１６）の外面に突設される複数個の櫛歯（１７）とを一体に備えており、
芯軸（１１）の先端に櫛ピース（６）の連結ボス（１６）が装着固定してあるマスカラブラシ。
【請求項２】
連結ボス（１６）の突端に先すぼまり状の櫛台部（１８）が形成されており、
櫛台部（１８）の外面に、芯軸（１１）の中心に沿う櫛歯（１７）が平行に突設してある請求項１に記載のマスカラブラシ。
【請求項３】
櫛歯（１７）の前後面（１７ａ・１７ｂ）が、湾曲面ないし波形面で形成してある請求項２に記載のマスカラブラシ。
【請求項４】
櫛ピース（６）の連結ボス（１６）の連結端に、マスカラ液容器（１）の内部に設けたしごき部材（３）への引っ掛かりを防ぐ逃げ面（２０）が形成してある請求項２または３に記載のマスカラブラシ。
【請求項５】
ブラシ本体（５）が、一方向へ捻じられた芯軸（１１）と、芯軸（１１）の周りに螺旋状に固定されるブラシ毛（１２）とで構成されており、
芯軸（１１）の突端にブラシ毛（１２）を保持固定しない連結軸部（１３）が設けられており、
連結軸部（１３）と、連結軸部（１３）に隣接するブラシ毛（１２）の一部とが連結ボス（１６）に嵌り込む状態で、櫛ピース（６）がブラシ本体（５）に溶着固定してある請求項２、３または４に記載のマスカラブラシ。
【発明の詳細な説明】
【技術分野】
【０００１】
本発明は、マスカラ液をまつ毛に塗布するためのブラシと、まつ毛およびマスカラ液を均等に梳き整えるための櫛歯とを備えているマスカラブラシに関する。
【背景技術】
【０００２】
この種のマスカラブラシは、特許文献１に公知である。そこでは、プラスチック成形されたブラシ台と、ブラシ台の周面一側に配置されるコームと、ブラシ台の中心軸線に沿って装着されるブラシとでマスカラブラシを構成している。ブラシ台は、先端ボスおよび基端ボスと、これら両ボスを繋ぐコーム枠および補強枠を一体に備えている。コーム枠と補強枠とはブラシ台の周囲の対向位置に配置してあり、両枠の間はブラシ毛を露出させるためのブリッスル窓として開口されている。
【０００３】
本発明に関して、塗布軸の先端に櫛歯を設けることは特許文献２・３に公知である。特許文献２の塗布具における櫛歯は、塗布軸から横向きに突出する状態で設けてある。特許文献３の塗布具においては、筆状の塗布具の突端に櫛歯部を形成しており、この塗布具は眉毛に染毛液を塗布するために使用される。櫛歯部は塗布具の中心軸線に沿って突設してある。上記以外に、ブラシの先端に、ブラシ毛より腰の柔らかいパイル毛を電気植毛法で固定する眉毛ブラシが特許文献４に開示してある。特許文献４におけるパイル毛は、眉をかいてぼかしつけるために設けてある。
【０００４】
【特許文献１】特開２００７−５０１８３号公報（段落番号００１２、図１）
【特許文献２】特開２００７−２９６３３１号公報（段落番号０２６５、図５）
【特許文献３】特開２００４−１５４１７３号公報（段落番号００１１、図１）
【特許文献４】実開平３−１１１２１９号公報（第６頁第４〜第８行、第１図）
【発明の開示】
【発明が解決しようとする課題】
【０００５】
特許文献１のマスカラブラシは、ブラシの周面一側に一群の櫛歯を備えたコームを配置するので、マスカラ液容器からマスカラブラシを抜き出すとき、コーム部分がしごき部材に引っ掛かりやすく、その出し入れに手間が掛かる。また、コーム部分が邪魔になってブラシに保持されたマスカラ液をしごき部材で充分に掻き落とすのが難しく、マスカラ液がまつ毛に過剰に塗布されやすい。さらに、コームを横にしてまつ毛を梳き整えるとき、多くのまつ毛が一群の櫛歯で同時に梳かれてしまう。そのため、一度梳き整えられて梳く必要がないまつ毛までもが、再び梳かれて仕上がり状態が変化するおそれがあり、全てのまつ毛を均等に梳き整えるのに手間を要していた。例えば、まつ毛の間に捕捉された半固化状態のマスカラ塊を取り除くような場合であっても、すでに梳き整えられたまつ毛までもが櫛歯で梳かれてしまう。
【０００６】
特許文献２の塗布具は櫛歯のみで構成してある。そのため、全てのまつ毛にマスカラ液を塗布するのに、櫛歯に保持されたマスカラ液を繰り返しまつ毛に塗布する必要があり、多くの時間と手間が掛かる。
【０００７】
本発明の目的は、マスカラ液をまつ毛に塗布するブラシ本体と、まつ毛およびマスカラ液を均等に梳き整える櫛ピースとを備えていて、マスカラ液の塗布からまつ毛の仕上げまでを的確にしかも簡便に行なえる、使い勝手に優れたマスカラブラシを提供することにある。本発明の目的は、櫛ピースを備えているにもかかわらず、マスカラブラシのマスカラ液容器に対する出し入れを容易に行なうことができ、しかもブラシに保持されたマスカラ液をしごき部材で充分に掻き落として、適量のマスカラ液をまつ毛に塗布できるマスカラブラシを提供することにある。
【課題を解決するための手段】
【０００８】
本発明のマスカラブラシは、芯軸１１の周囲にブラシ毛１２が張り出してあるブラシ本体５と、櫛ピース６とを備えている。櫛ピース６は、連結ボス１６と、連結ボス１６の外面に突設される複数個の櫛歯１７とを一体に備えている。芯軸１１の先端に櫛ピース６の連結ボス１６が装着固定してあることを特徴とする。
【０００９】
連結ボス１６の突端に先すぼまり状の櫛台部１８を形成し、櫛台部１８の外面に、芯軸１１の中心に沿う櫛歯１７を平行に突設する。
【００１０】
櫛歯１７の前後面１７ａ・１７ｂを、湾曲面ないし波形面で形成する。
【００１１】
櫛ピース６の連結ボス１６の連結端に、マスカラ液容器１の内部に設けたしごき部材３への引っ掛かりを防ぐ逃げ面２０を形成する。
【００１２】
ブラシ本体５は、一方向へ捻じられた芯軸１１と、芯軸１１の周りに螺旋状に固定されるブラシ毛１２とで構成する。芯軸１１の突端にブラシ毛１２を保持固定しない連結軸部１３を設ける。以て、連結軸部１３と、連結軸部１３に隣接するブラシ毛１２の一部とが連結ボス１６に嵌り込む状態で、櫛ピース６をブラシ本体５に溶着固定する。
【発明の効果】
【００１３】
本発明では、連結ボス１６と、連結ボス１６の外面に突設される複数個の櫛歯１７とで櫛ピース６を構成し、この櫛ピース６をブラシ本体５の芯軸１１の先端に装着固定してマスカラブラシとした。このように、芯軸１１の先端に櫛ピース６が固定してあるマスカラブラシによれば、ブラシ本体５に保持したマスカラ液をまつ毛に塗布したのち、櫛歯１７でまつ毛およびマスカラ液を均等に梳き整えることができるので、マスカラ液の塗布からまつ毛の仕上げまでを的確にしかも簡便に行なうことができる。また、芯軸１１の先端に櫛ピース６を固定するので、マスカラブラシをマスカラ液容器１に対して出し入れするとき、櫛ピース６がしごき部材３に引っ掛かるのをよく防止して使い勝手を向上できる。さらに、ブラシ毛１２に保持されたマスカラ液をしごき部材３で充分に掻き落として、適量のマスカラ液を使用者の意図どおりにまつ毛に塗布できる。
【００１４】
連結ボス１６の突端に先すぼまり状の櫛台部１８を形成し、櫛台部１８の外面に、芯軸１１の中心に沿う櫛歯１７を平行に突設する櫛ピース６によれば、櫛歯１７が連結ボス１６の周面外方へ突出するのを防止できる。したがって、マスカラブラシをマスカラ液容器１に対して出し入れするとき、櫛ピース６がしごき部材３に引っ掛かるのをさらに確実に防止でき、櫛ピースやコームを備えていない従来のマスカラブラシと同様の使い易を発揮できる。また、櫛台部１８を先すぼまり状に形成するので、櫛歯１７で掻き落とされたマスカラ液、あるいは固化しかけたマスカラが櫛台部１８に溜まるのを防止して、櫛歯１７によるまつ毛およびマスカラ液の梳き流しを円滑に行なえる。
【００１５】
櫛歯１７の前後面１７ａ・１７ｂを湾曲面ないし波形面で形成した櫛ピース６によれば、櫛歯１７の突端が前後いずれかへ偏る状態となるので、櫛歯１７の突端でまつ毛をより繊細に梳き整えることができる。また、湾曲面や波形面でまつ毛を受け止めた状態で、まつ毛のカール形状を整えることができる。
【００１６】
連結ボス１６の連結端に逃げ面２０を形成する櫛ピース６によれば、マスカラブラシをマスカラ液容器１から抜き出すとき、櫛ピース６がしごき部材３に引っ掛かるのをさらに確実に防止して、マスカラブラシの出し入れをさらに円滑に行なえる。
【００１７】
芯軸１１の突端にブラシ毛１２を保持固定しない連結軸部１３を設け、櫛ピース６を連結軸部１３に溶着固定した状態において、連結軸部１３と、連結軸部１３に隣接するブラシ毛１２の一部とを連結ボス１６に嵌め込むようにすると、連結軸部１３を加熱するとき熱変形し、あるいは溶融したブラシ毛１２を溶着穴１９に押し込んで隠蔽できるので、熱変形したブラシ毛１２が外面に露出するのを解消でき、櫛ピース６を備えたブラシ本体５の外観上の体裁を向上できる。
【発明を実施するための最良の形態】
【００１８】
（実施例）  図１ないし図４は本発明に係るマスカラブラシの実施例を示す。図２において、符号１はマスカラ液容器、符号２はマスカラ液容器の出入口を開閉するキャップ、符号３はマスカラ液容器１の内部に設けたしごき部材である。キャップ２の内部にはマスカラブラシが固定してある。マスカラブラシは、キャップ２の内部に固定されるホルダー４と、ホルダー４の下端に固定されるブラシ本体５と、ブラシ本体５の下端（先端）に固定される櫛ピース６とで構成する。ホルダー４はプラスチック成形品からなり、上下に長い塗布軸８の上端につまみ９が一体に形成してある。このつまみ９がキャップ２に固定してある。
【００１９】
ブラシ本体５は、二つ折りにした線材を一方向へ捻じって形成される芯軸１１と、芯軸１１の周りに螺旋状に固定されるブラシ毛１２とで構成してある。芯軸１１はステンレス線材を素材にして形成してある。芯軸１１の周囲に張り出されたブラシ毛１２の外形線は概ね円柱状とするが、その下半部は先端へ向かって先すぼまりテーパー状に形成してある。
【００２０】
芯軸１１の突端には、ブラシ毛１２を保持固定しない部分があり、この部分は櫛ピース６を装着固定するための連結軸部１３として利用される。芯軸１１の基端にも先の線材を捻じり合わせただけの、ブラシ毛１２を保持固定しない部分が形成してあり、この部分はブラシ本体５を塗布軸８に溶着固定するための取付軸部１４となる。
【００２１】
図３において櫛ピース６は、弾丸状の連結ボス１６と、連結ボス１６の外面に突設される３個の櫛歯１７とを一体に備えたプラスチック成形品からなる。連結ボス１６の突端には断面山形の櫛台部１８が先すぼまり状に形成してあり、櫛台部１８の外面に先端が尖る三角形状の３個の櫛歯１７が縦向きに突設してある。図１に示すように櫛歯１７は、芯軸１１の中心軸線と平行になる状態で突設してある。
【００２２】
連結ボス１６の連結端には、先の連結軸部１３を熱溶着するための溶着穴１９が凹み形成してある。また、連結ボス１６の連結端の周縁は、周回状に丸められて逃げ面２０が形成してある。逃げ面２０を設けることにより、ブラシ本体５がマスカラ液容器１の外へ抜き出されるとき、連結ボス１６がしごき部材３に引っ掛かるのを防止して、マスカラブラシの出し入れを円滑に行なえる。なお、連結ボス１６は、櫛ピース６がしごき部材３の出入開口３ａを通過するとき、連結ボス１６の周面の一部が出入開口３ａと接触して、連結ボス１６の周面に付着したマスカラ液がしごき部材３で掻き落とされる大きさにしてある。
【００２３】
櫛ピース６はブラシ本体５に対して熱溶着によって連結固定する。詳しくは、芯軸１１の連結軸部１３に通電して、主として連結軸部１３を局部的に加熱し、連結軸部１３を溶着穴１９に差し込んで溶着穴１９の底壁および周囲壁を溶融させ、溶融部分を固化させることにより、櫛ピース６をブラシ本体５に固定する。このときの、連結軸部１３の差し込み深さは溶着穴１９の穴深さより大きく、連結軸部１３に隣接するブラシ毛１２の一部が溶融した状態で溶着穴１９に入り込み、櫛ピース６の溶着固定を促進する。また、連結軸部１３を加熱するとき熱変形し、あるいは溶融したブラシ毛１２を溶着穴１９に押し込むので、熱変形したブラシ毛１２が外面に露出するのを解消し、ブラシ本体５の外観上の体裁が損なわれるのを確実に防止できる。得られたブラシ本体５は、取付軸部１４の端部寄りを同様に加熱した状態で、塗布軸８に設けた取付穴８ａに差し込んで溶着固定する。図４はブラシ本体５と櫛ピース６の外観を示す六面図である。
【００２４】
以上のように構成したマスカラブラシは、ブラシ毛１２でまつ毛を梳き流すことにより、ブラシ毛１２の間に保持されたマスカラ液を、効果的にまつ毛に塗布できる。また、ブラシ本体５が上を向く状態でホルダー４を縦長に保持し、上端の櫛ピース６の櫛歯１７でまつ毛を押し上げるようにして梳き整えることにより、まつ毛に塗布された余分なマスカラ液を除去しながら、まつ毛を均等に梳き整えて、自然な状態に仕上げることができる。このとき、断面山形に形成した櫛台部１８は、櫛歯１７で掻き落とされたマスカラ液、あるいは固化しかけたマスカラを櫛台部１８の斜面に沿って速やかに流下し、あるいは落下できるので、マスカラ液が櫛歯１７の基端に溜まるのを防止できる。
【００２５】
また、ブラシ毛１２の螺旋直径より小さな櫛ピース６で、まつ毛を数本ずつ梳き流すので、櫛ピース６に邪魔されることもなくまつ毛の状態を明確に視認しながら梳き整えることができる。また、既に梳き整えられたまつ毛が櫛歯１７で不必要に梳かれるのを防止できる。したがって、ブラシ本体の周面一側に設けたコームでまつ毛を梳き流す従来のマスカラブラシに比べて、マスカラ液を塗布した後のまつ毛の仕上げをより的確に、しかも簡便に行なうことができる。
【００２６】
本発明の櫛ピース６は、図５および図６に示す態様で実施することができる。図５（ａ）に示す櫛ピース６は、図１〜図４で説明した櫛ピース６と基本的に同じ構造とするが、櫛台部１８に突設される櫛歯１７の個数を４個として隣接する櫛歯１７の間隔を狭め、櫛歯１７による余分なマスカラ液の除去効果を向上したものである。
【００２７】
図５（ｂ）に示す櫛ピース６は、櫛歯１７の前後面１７ａ・１７ｂを湾曲面で形成して、櫛歯１７を鈎爪状に形成した。また、図５（ｃ）に示す櫛ピース６は、櫛歯１７の前後面１７ａ・１７ｂを波形面で形成して、櫛歯１７を鈎爪状に形成した。このように櫛歯１７を鈎爪状に形成した櫛ピース６によれば、櫛歯１７の突端が前後いずれかへ偏る状態でまつ毛を梳き整えることができるので、櫛歯１７の突端でまつ毛をより繊細に梳き整えることができる。
【００２８】
図６（ａ）に示す櫛ピース６は、連結ボス１６と櫛歯１７とを別部品で構成し、櫛歯１７を連結ボス１６に凹み形成した装着凹部２２に溶着固定するようにした。この場合の櫛歯１７は、プラスチック成形品、あるいは金属加工品で形成することができる。
【００２９】
図６（ｂ）に示す櫛ピース６は、連結ボス１６の端部から櫛軸２３を突設し、櫛軸２３の一側に５個の櫛歯１７を平行に突設した。この場合の櫛歯１７は、芯軸１１の中心軸線と直交する状態で横向きに突設する。
【００３０】
上記の実施例以外に、逃げ面２０は連結ボス１６の周縁を丸めて形成する必要はなく、テーパー面で形成することができる。櫛台部１８は断面山形である必要はなく、前後面のいずれか一方のみが傾斜する先すぼまり形状であってもよい。金属板で形成した櫛歯１７を連結ボス１６にインサート固定して櫛ピース６を構成することができる。
【図面の簡単な説明】
【００３１】
【図１】ブラシ本体の正面図である。
【図２】マスカラブラシの正面図である。
【図３】マスカラブラシの一部を破断した分解側面図である。
【図４】マスカラブラシの六面図である。
【図５】櫛ピースの変形例を示す正面図、および側面図である。
【図６】櫛ピースの別の変形例を示す正面図である。
【符号の説明】
【００３２】
５  ブラシ本体
６  櫛ピース
１１  芯軸
１２  ブラシ毛
１６  連結ボス
１７  櫛歯
【図１】
2009254395.tif 000003
【図２】
2009254395.tif 000004
【図３】
2009254395.tif 000005
【図４】
2009254395.tif 000006
【図５】
2009254395.tif 000007
【図６】
2009254395.tif 000008